(57)【特許請求の範囲】
【請求項１】
パイプと、前記パイプに接続される編組部材を包囲する外装部品との間に配されるグロメットであり、
前記編組部材を前記パイプの端部にかしめ付けるカシメリングのかしめ部が軸方向に移動可能な通過スペースを備え、
前記通過スペースは、前記グロメットの本体部の一部が径方向の外側に突出して形成された突出部の内側に設けられ、前記突出部の幅寸法が、前記パイプ側と前記外装部品側とで異なるものとされているグロメット。
【請求項２】
山部と谷部とが軸方向に交互に連続して設けられた蛇腹部を備えている請求項１に記載のグロメット。
【請求項３】
パイプと、
前記パイプに接続される編組部材と、
前記編組部材を前記パイプの端部にかしめ付けるカシメリングと、
前記編組部材を包囲する外装部品と、
請求項１または請求項２に記載のグロメットと、
を備えているワイヤハーネス。
【発明の詳細な説明】
【技術分野】
【０００１】
本発明は、グロメット及びワイヤハーネスに関する。
【背景技術】
【０００２】
従来、導電性を有するパイプと、金属素線をメッシュ状に編み込んでなる編組部材とを導通接続してなるシールド部材によって電線を包囲し、ノイズ遮蔽を行うようにしたワイヤハーネスが知られている。編組部材の端部は、パイプの端部に被せ付けられ、カシメリングによって固定される。
【０００３】
一般に、ワイヤハーネスの両端部には、端子金具が備えられている。端子金具は、露出された状態もしくはコネクタに収容された状態で相手側に接続される。コネクタは、例えば下記特許文献１に記載されているような外装部品によって防水される。
【０００４】
パイプと外装部品との間は、例えば下記特許文献２に記載されているようなグロメットによって防水される。グロメットの軸方向における一端側は、パイプの端部に固定され、他端側は、外装部品の端部に固定される。
【０００５】
このようなワイヤハーネスにおいて端子金具をコネクタに収容する際には、端子金具を外装部品から引っ張り出すとともに、外装部品の端部を折り返して端子金具を露出させることが行われる。
【先行技術文献】
【特許文献】
【０００６】
【特許文献１】特開２０００−２６０２４４号公報
【特許文献２】特開２０１５−１５８２２号公報
【発明の概要】
【発明が解決しようとする課題】
【０００７】
しかしながら、上記のような構成では、ワイヤハーネスの両端部にコネクタを接続することが難しいという問題がある。すなわち、ワイヤハーネスの一端側のみにコネクタを取り付ける場合には、端子金具を外装部品から引っ張り出すことができるけれども、両端部にコネクタを取り付ける場合には、電線の一端側がコネクタに収容されて固定されるので、他端側において端子金具を引っ張り出すことが困難だからである。
【０００８】
また、グロメットのパイプ側の端部は、カシメリングの外側に被さっており、カシメリングのかしめ部によって軸方向の移動が規制されている。このため、外装部品をパイプ側にずらして、端子金具を露出させることも困難である。
【０００９】
本発明は上記のような事情に基づいて完成されたものであって、ワイヤハーネスの両端部にコネクタを容易に接続することが可能なグロメットおよびワイヤハーネスを提供することを目的とする。
【課題を解決するための手段】
【００１０】
本発明のグロメットは、パイプと、前記パイプに接続される編組部材を包囲する外装部品との間に配されるグロメットであり、前記編組部材を前記パイプの端部にかしめ付けるカシメリングのかしめ部が軸方向に移動可能な通過スペースを備えているものである。
本発明のワイヤハーネスは、パイプと、前記パイプに接続される編組部材と、前記編組部材を前記パイプの端部にかしめ付けるカシメリングと、前記編組部材を包囲する外装部品と、前記グロメットと、を備えているものである。
【発明の効果】
【００１１】
本発明によれば、グロメットとともに外装部品を軸方向にずらして端子金具を露出させることができるから、ワイヤハーネスの両端部にコネクタを容易に接続することができる。
【図面の簡単な説明】
【００１２】
【図１】本実施例におけるワイヤハーネスであって、車体に取り付けた状態を示す概略図
【図２】グロメットを示す斜視図
【図３】ワイヤハーネスのうちグロメットの取り付け部分を示す一部拡大断面図
【図４】ワイヤハーネスを示す断面図であって、図３のＡ−Ａ位置における断面に相当する断面図
【図５】ワイヤハーネスの製造方法を示す概略図であり、（Ａ）はグロメットをパイプ側に移動した状態を示す概略図であり、（Ｂ）はグロメットをコネクタ側に移動した状態を示す概略図である。
【発明を実施するための形態】
【００１３】
本発明の好ましい形態を以下に示す。
本発明のグロメットは、山部と谷部とが軸方向に交互に連続して設けられた蛇腹部を備えているものとしてもよい。このような構成によれば、グロメット自体を容易に屈曲することができるから、外装部品の長さ寸法を小さくすることができる。
【００１４】
また、本発明のグロメットは、前記通過スペースが、本体部から径方向の外側に突出して形成された突出部の内側に設けられ、前記突出部の幅寸法が、前記パイプ側と前記外装部品側とで異なるものとしてもよい。このような構成によれば、グロメットのパイプ側と外装部品側とを容易に識別することができるので、確実にグロメットを正しい向きで取り付けることができる。
【００１５】
＜実施例＞
以下、本発明を具体化した一実施例について、図１〜図５を参照しつつ詳細に説明する。
本実施例におけるワイヤハーネスＷは、複数本の電線１０を一括して挿通するパイプＰを備えるとともに、軸方向における両端部にコネクタＣが接続されたコネクタ仕様のパイプハーネスである。ワイヤハーネスＷは、図１に示すように、車両に搭載された機器Ｍ１，Ｍ２に接続されるものであり、一端側が車両の前部に設けられた機器Ｍ１に接続され、他端側が車両の後部に設けられた機器Ｍ２に接続される。ワイヤハーネスＷの大部分（電線１０がパイプＰに挿通されている部分）は、車体Ｂの床下に配索される。
【００１６】
各電線１０の両端部には、コネクタＣに収容される端子金具Ｔが導通接続されている（図５参照）。電線１０は、複数本の素線を撚り合わせてなる導体１１の外周を絶縁被覆１２で包囲してなる撚線電線である。導体１１は、銅あるいは銅合金、アルミあるいはアルミ合金によって形成されている。
【００１７】
パイプＰは、導電金属製（例えばアルミニウムまたはアルミニウム合金製）のシールドパイプであって、断面円形状をなす長尺なものとされている。
パイプＰの両端部には、金属素線をメッシュ状に編み込んでなる編組部材Ｈが導通接続されている。編組部材Ｈは、例えば、表面に錫メッキ加工を施した銅系金属素線を、長尺の筒状に編組して形成したものである。編組部材Ｈの内部には、パイプＰから引き出された電線１０が挿通されている。編組部材Ｈの一端部は、パイプＰの端部の外周面に被せ付けられ、カシメリング１３によってかしめ固定されている。また、編組部材Ｈの他端部は、コネクタＣに導通可能に固着される。
【００１８】
カシメリング１３は公知のものであり、図４に示すように、全体としてリング状をなすバンド部１４と、バンド部１４の周方向の一部が径方向の外方に突出して形成されたかしめ部１５と、を備えている。かしめ部１５の根元部分を接近させることで、バンド部１４が縮径状態に移行し、カシメリング１３を締め付けることができる。
【００１９】
電線１０のうちパイプＰから導出されている部分は、可撓性を有する外装部品１６に包囲されている。外装部品１６は、編組部材Ｈの大部分を包囲するコルゲートチューブ１７と、コネクタＣに被さるコネクタカバー部材１８とを備えている。外装部品１６によって、電線１０のうちパイプＰとコネクタＣとの間に配される部分が保護・防水される。
【００２０】
コルゲートチューブ１７は、合成樹脂製であって、全長にわたって山部と谷部とが繰り返される蛇腹形状に形成され、良好な可撓性を有している。
コネクタカバー部材１８は、弾性材料であるゴム製であって、一端側がコネクタＣの外周面に密着可能な第１筒部１９、他端側がコルゲートチューブ１７の端部に外嵌可能な第２筒部２１とされている（図５参照）。コネクタカバー部材１８の第２筒部２１はコルゲートチューブ１７の端部の外周面に被せ付けられ、図示しない樹脂バンド等によって固定されている。
【００２１】
パイプＰと外装部品１６との間には、グロメット３０が配されている。グロメット３０は、弾性材料であるゴム製であって、全体として筒状をなし、一端側は、パイプＰの端部に接続される第１端部３１、他端側は、外装部品１６の端部に接続される第２端部３２とされている。第１端部３１および第２端部３２は、パイプＰの端部および外装部品１６の端部にそれぞれ外嵌可能な略円形断面をなしている。なお、第２端部３２の厚さ寸法（径方向の寸法）は第１端部３１の厚さ寸法よりも大きくされている。
【００２２】
第１端部３１および第２端部３２の外周面には、図３に示すように、任意の巻き付け部材（樹脂バンド等）Ｒが位置決めされる位置決め部３３が設けられている。位置決め部３３は、第１端部３１および第２端部３２のそれぞれに全周にわたって凹み形成された溝形状をなしている。
【００２３】
第１端部３１および第２端部３２の内周面には、パイプＰおよび外装部品１６の外周面にそれぞれ接触可能な第１リップ部３４および第２リップ部３５が突設されている。第１リップ部３４および第２リップ部３５は、第１端部３１および第２端部３２の内周面のそれぞれに、全周にわたって連続して形成されている。
【００２４】
第１リップ部３４は、複数（本実施例では４条）が設けられている。隣り合う第１リップ部３４の間隔は、端側にいくほど大きくなっている。第１リップ部３４は、第２リップ部３５よりも先端部が丸い形状をなし、パイプＰの外周面に密着可能とされている。
【００２５】
第２リップ部３５は、複数（本実施例では３条）が設けられている。第２リップ部３５は、外装部品１６を構成するコルゲートチューブ１７の谷部４２に入り込み可能とされている。
【００２６】
グロメット３０には、図３に示すように、カシメリング１３のかしめ部１５が、軸方向に通過可能な通過スペースＳが設けられている。通過スペースＳは、かしめ部１５の幅寸法（カシメリング１３の軸方向の寸法）に対して余裕のある（数倍大きい）軸方向の寸法を有している。これにより、グロメット３０をパイプＰに固定するまでは、かしめ部１５が通過スペースＳを軸方向に移動することが可能となっている。
【００２７】
通過スペースＳは、図４に示すように、パイプＰの外形に沿う形状をなす本体部３６から径方向の外側に突出した突出部３７の内部空間である。突出部３７は、本体部３６の周方向における一部が部分的に外側に突出した形態をなしている。
【００２８】
突出部３７の形成部位におけるグロメット３０の内径寸法は、かしめ部１５を含むカシメリング１３の外径寸法よりも大きくされている。また、通過スペースＳは、かしめ部１５の幅寸法（カシメリング１３の周方向の寸法）に対して余裕のある（数倍大きい）幅寸法を有している。
【００２９】
突出部３７は、グロメット３０の軸方向における中間部（第１端部３１と第２端部３２との間の部分）に設けられている。突出部３７の軸方向の寸法は、第１端部３１および第２端部３２の軸方向の寸法に比して大きくされている。
【００３０】
突出部３７の軸方向における両端部は、かしめ部１５の軸方向の移動を突出部３７内に限定する第１ストッパ部３８および第２ストッパ部３９とされている。第１ストッパ部３８および第２ストッパ部３９は、本体部３６から径方向の外方に略垂直に立つ壁状をなしている。なお、第１ストッパ部３８の立ち上がり寸法は、第２ストッパ部３９の立ち上がり寸法よりも若干大きくされている。
【００３１】
突出部３７の幅寸法（グロメット３０の周方向の寸法）は、図２に示すように、第１端部３１側と第２端部３２側とで異なるものとされている。本実施例では、第１端部３１側の幅寸法が第２端部３２側の幅寸法よりも大きくされている。突出部３７の幅寸法は、後述する蛇腹部４３を間にして異なるものとされている。なお、突出部３７の幅寸法は、本体部３６の外形寸法よりも小さくされている。
【００３２】
グロメット３０は、山部４１と谷部４２とが軸方向に交互に連続して設けられた蛇腹部４３を備えている。蛇腹部４３は、グロメット３０の軸方向における中間部（突出部３７の中間部）に設けられている。蛇腹部４３の山部４１の突出端面は、突出部３７の突出端面とはほぼ同じ位置に配され、突出部３７よりも径方向の外側に突出しないものとされている。蛇腹部４３の谷部４２は、本体部３６の内周面よりも若干径方向の外側に位置し、グロメット３０の内側に突出しないものとされている。蛇腹部４３のうち突出部３７を除く部位に形成された部分においても、谷部４２は本体部３６の内周面よりも内側に突出しないものとされている。
【００３３】
次に、本実施例におけるワイヤハーネスＷの製造方法の一例を説明する。
まず、パイプＰの端部に編組部材Ｈを接続するとともに、パイプＰ及び編組部材Ｈの内部に電線１０を挿通する。編組部材Ｈの端部をパイプＰの端部の外周面に被せ付け、編組部材Ｈの外周にカシメリング１３をかしめ付け、パイプＰに固定する。
【００３４】
次に、パイプＰの端部にグロメット３０及び外装部品１６を接続する。グロメット３０及び外装部品１６は、樹脂バンド等の巻き付け部材Ｒによって予め一体に組み付けておく。また、グロメット３０の第１端部３１には、若干緩みをもたせて巻き付け部材Ｒを巻き付けておく。組み付けられたグロメット３０及び外装部品１６を端子金具Ｔ側から通し、グロメット３０の第１端部３１をパイプＰの端部に被せ付ける。このとき、グロメット３０の突出部３７の内側にカシメリング１３のかしめ部１５を収容する。
【００３５】
次に、ワイヤハーネスＷの端部にコネクタＣを接続する。図５（Ａ）に示すように、グロメット３０及び外装部品１６をパイプＰ側にずらして端子金具Ｔを十分に露出させる。この際、カシメリング１３のかしめ部１５は、通過スペースＳを第２端部３２側に移動する。かしめ部１５は、突出部３７内に位置する蛇腹部４３の山部４１を弾性変形させつつ軸方向に移動する。かしめ部１５が、通過スペースＳの終端（第２端部３２側の端）に至ると、グロメット３０の大部分はパイプＰに被さった状態になり、外装部品１６の全体がパイプＰ側にずれ、電線１０の端末部の露出長さが十分になる。外装部品１６から露出された端子金具Ｔを、順にコネクタＣに挿入して収容し終えると、コネクタＣがワイヤハーネスＷの端部に接続された状態になる。
【００３６】
次いで、グロメット３０及び外装部品１６をコネクタＣ側にずらしてコネクタＣに被せ付ける。図５（Ｂ）に示すように、グロメット３０及び外装部品１６をコネクタＣ側にずらすと、カシメリング１３のかしめ部１５が通過スペースＳを第１端部３１側に移動する。かしめ部１５が、通過スペースＳの始端（第１端部３１側の端）に至ると、外装部品１６が編組部材Ｈの全長を包囲し、コネクタカバー部材１８の第１筒部１９がコネクタＣに達する。このとき、パイプＰの外周面に、グロメット３０の端部の位置をマークしておき、そのマークまでグロメット３０を引き戻すようにしてもよい。コネクタカバー部材１８の第１筒部１９をコネクタＣの外周面に被せ付け、グロメット３０の第１端部３１に巻き付けられている巻き付け部材Ｒを締め付けることにより、グロメット３０及び外装部品１６が正しい位置に固定される。
【００３７】
上記のようなコネクタＣの接続作業を、ワイヤハーネスＷの両端部について順に行った後、パイプＰを所定の形状に曲げ加工する。
以上により、ワイヤハーネスＷの製造作業が完了する。
【００３８】
次に、上記のように構成された実施例の作用および効果について説明する。
本実施例におけるグロメット３０は、パイプＰと、パイプＰに接続される編組部材Ｈを包囲する外装部品１６との間に配されるグロメット３０であり、編組部材ＨをパイプＰの端部にかしめ付けるカシメリング１３のかしめ部１５が軸方向に移動可能な通過スペースＳを備えている。この構成によれば、グロメット３０とともに外装部品１６を軸方向にずらして端子金具Ｔを露出させることができるから、電線１０や端子金具Ｔに無理な力を加えることなく、端子金具Ｔを容易にコネクタＣに収容することができ、よってワイヤハーネスＷの両端部にコネクタＣを容易に接続することができる。
【００３９】
また、山部４１と谷部４２とが軸方向に交互に連続して設けられた蛇腹部４３を備えている。この構成によれば、グロメット３０自体を容易に屈曲することができるから、コルゲートチューブ１７の長さ寸法を小さくすることができる。
【００４０】
また、通過スペースＳが、本体部３６から径方向の外側に突出して形成された突出部３７の内側に設けられ、突出部３７の幅寸法が、パイプＰ側とコルゲートチューブ１７側とで異なるものとされている。この構成によれば、グロメット３０のパイプＰ側とコルゲートチューブ１７側とを容易に識別することができるので、確実にグロメット３０を正しい向きで取り付けることができる。
【００４１】
＜他の実施例＞
本発明は上記記述及び図面によって説明した実施例に限定されるものではなく、例えば次のような実施例も本発明の技術的範囲に含まれる。
（１）上記実施例では、突出部３７が、本体部３６の周方向における一部を部分的に外側に突出した形態で設けられているが、これに限らず、突出部は、本体部の全体を外側に突出した形態で設けてもよい。
（２）上記実施例では、外装部品１６が、別体のコルゲートチューブ１７とコネクタカバー部材１８とを組み付けてなるものとされているが、これに限らず、例えば、コルゲートチューブとコネクタカバー部材とは一部品であってもよく、すなわち、蛇腹形状をなす筒状部の一端部にコネクタに被さるカバー部分が設けられたものであってもよい。
（３）上記実施例では、グロメット３０が蛇腹部４３を有しているが、必ずしもグロメットは蛇腹部を有していなくてもよい。
（４）上記実施例では、蛇腹部４３が突出部３７の中間部に設けられているが、これに限らず、蛇腹部を、突出部と軸方向にずれた位置に設けてもよい。
（５）上記実施例では、突出部３７の幅寸法が、第１端部３１側と第２端部３２側とで異なるものとされているが、これに限らず、突出部の幅寸法を軸方向の全体にわたって一定としてもよい。
【符号の説明】
【００４２】
Ｈ…編組部材
Ｐ…パイプ
Ｓ…通過スペース
Ｗ…ワイヤハーネス
１３…カシメリング
１５…かしめ部
１６…外装部品
３０…グロメット
３６…本体部
３７…突出部
４１…山部
４２…谷部
４３…蛇腹部
【図１】
0006624454.tif 000002
【図２】
0006624454.tif 000003
【図３】
0006624454.tif 000004
【図４】
0006624454.tif 000005
【図５】
0006624454.tif 000006